(57)【要約】  一つの実施例において、携帯デバイスは、その間で少なくとも一つの空洞を規定する第一部材からなる第一内袋と第二部材からなる外側境界のある袋あるいは層を具備している。アクセス口は、開放と膨らまし作動装置を具備し、圧力化している大気あるいは温度効果媒体あるいはそれらの組み合わせを通過させることのできる少なくとも一つ空洞への量的アクセスを提供する。密閉可能なアクセスが提供され、共通の圧力が、高接触圧力勾配の損傷と破壊をそれによって防止して、携帯される非剛体あるいは剛体物品の外側単一圧力領域に適用される。別の実施例では、ハンドルは、内側携帯袋を密閉することに役立ち、快適な握りを提供するために膨らまし可能である。
2008517849.tif 000002
【特許請求の範囲】
【請求項１】
内袋部材を操作可能にして結合し、選択された圧力化媒体を受領するための少なくとも一つの当該間の境界のある空洞を規定する外袋部材と、それぞれ内側側壁と外側側壁を具備する前記内袋部材と前記外袋部材と、それぞれ内袋部材と外袋部材を形成する内袋側壁を結合する少なくとも一つの内側縫い目と外袋側壁を結合する少なくとも一つの外側縫い目と、使用中前記境界のある空洞に関連する圧力化媒体を伝達する前記すくなくとも一つの境界のある空洞への弁アクセスを提供する手段と、内袋開口部を通してアクセスできる前記内袋部材内の携帯物品受領領域と、それによって前記携帯物品を損傷することなく前記携帯物品に前記内袋側壁が本質的に適合できるようしてなる使用中に前記携帯物品受領域周辺で互いに関係して容易に剪断されうる前記内袋側壁と前記外袋側壁から構成されてなることを特徴とする携帯デバイス。
【請求項２】
密閉可能なように結合された前記内袋外袋部材から突出していて、前記圧力化媒体を受領するために前記使用中前記境界のある空洞と圧力伝達の中にあるハンドル部材であって、それによって前記膨らまし期間中前記ハンドル部材が圧力化され、前記携帯物品を保持するための前記内側開口部アクセスの対峙する側に封鎖衝動を提供するハンドル部材から構成されてなることを特徴とする請求項第1項記載の携帯デバイス。
【請求項３】
前記内袋部材から前記外側縫い目に突出している少なくとも一つの当て布部材と、前記使用中前記境界のある空洞内で内袋部材の横方向への安定化を可能にして、さらに前記内袋側壁が前記外側側壁に関連して容易に移動可能なままにしている前記少なくとも一つの当て布から構成されてなることを特徴とする請求項第2項記載の携帯デバイス。
【請求項４】
前期内袋部材の少なくても一部分が前記外袋部材の外側縫い目の向こう側に突出し、それによって前記携帯デバイスが容易に適合し得る別の構造であることを特徴とする請求項第3項記載の携帯デバイス。
【請求項５】
前記内袋部材の少なくとも一部分が前記外袋部材の前記外側側壁の少なくとも一つに直接結合されてなることを特徴とする請求項第1項記載の携帯デバイス。
【請求項６】
内袋部材を操作可能にして結合し、選択された圧力化媒体を受領するための少なくとも一つの当該間の境界のある空洞を規定する外袋部材と、それぞれ内側側壁と外側側壁を具備する前記内袋部材と前記外袋部材と、それぞれ内袋部材と外袋部材を形成する内袋側壁を結合する少なくとも一つの内側縫い目と外袋側壁を結合する少なくとも一つの外側縫い目と、使用中前記境界のある空洞に関連する圧力化媒体を伝達する前記すくなくとも一つの境界のある空洞への弁アクセスを提供する手段と、内袋開口部を通してアクセスできる前記内袋部材内の携帯物品受領領域と、それによって本質的に均一な圧力でもって前記携帯物品と前記内袋側壁が本質的に適合できるようにしている使用中に前記携帯物品受領域周辺で互いに関係して容易に剪断されうる前記内袋側壁と前記外袋側壁と、それぞれ前記外袋部材から突出するハンドル部材と、前記境界のある空洞に沿って前記外側側壁の選択部分を結合していなる少なくとも一つの成形密閉から構成されてなることを特徴とする携帯デバイス。
【請求項７】
当該間の内袋部材受領領域を規定し、選択された圧力化媒体を受領するためのそれぞれ第１と第2境界のある空洞を形成する少なくとも第１と第2内袋部材と、前記内袋部材受領領域内の内袋部材と、内袋側壁を結合する少なくとも一つの内側縫い目と前記第１と第2外袋部材の外袋側壁を結合する少なくとも一つの外側縫い目と、使用中前記第１と第2境界のある空洞に関連する圧力化媒体を伝達するための第１と第2弁アクセスと、内袋開口部を通してアクセスできる前記内袋部材内の携帯物品受領領域と、それによって本質的に均一な圧力でもって前記携帯物品と前記内袋側壁が本質的に適合できるようにしている前記使用中に前記携帯物品受領域周辺で互いに関係して容易に移動しうる前記内袋側壁とそれぞれの前記外袋側壁と、少なくともそれぞれ前記第１と第2外袋部材から突出する第１と第2ハンドル部材と、それによって前記使用中、握ることができる周辺の前記ハンドル部材を前記内側開口部のアクセス位置の対峙する側の上に封鎖衝動を提供するように構成されてなることを特徴とする携帯デバイス。
【請求項８】
内袋部材を操作可能にして結合し、選択された圧力化媒体を受領するための少なくとも一つの当該間の境界のある空洞を規定する外袋部材と、それぞれ内側側壁と外側側壁を具備する前記内袋部材と前記外袋部材と、前記境界のある空洞に関連する圧力化媒体を伝達するために使用中前記すくなくとも一つの境界のある空洞への選択的アクセスを提供する手段と、内袋開口部を通してアクセスできる前記内袋部材内の携帯物品受領領域と、それによって本質的に均一な圧力でもって前記携帯物品と前記内袋側壁が本質的に適合できるようにしている使用中に前記携帯物品受領域周辺で互いに関係して容易に剪断されうる前記内袋側壁と前記外袋側壁と、前記使用中外側を握ることができるようにしてなる携帯デバイスから突出しているハンドル部材と、前記内袋部材内の複数の取り外し可能な裏地とから構成されてなることを特徴とする携帯デバイス。
【請求項９】
内袋部材を操作可能にして結合し、選択された圧力化媒体を受領するための少なくとも一つの当該間の境界のある空洞を規定する外袋部材と、それぞれ内側側壁と外側側壁を具備する前記内袋部材と前記外袋部材と、前記境界のある空洞に関連する圧力化媒体を伝達するために使用中前記少なくとも一つの境界のある空洞への選択的アクセスを提供する手段と、内袋開口部を通してアクセスできる前記内袋部材内の携帯物品受領領域と、それによって本質的に均一な圧力でもって前記携帯物品と前記内袋側壁が本質的に適合できるようにしている前記使用中に前記携帯物品受領域周辺で互いに関係して容易に剪断されうる前記内袋側壁と前記外袋側壁と、前記使用中外側を握ることができるようにしてなる携帯デバイスから突出しているハンドル部材と、それぞれ前記携帯デバイスが、前記境界のある空洞の膨らましに先立って前記携帯物品に最初の緩衝を提供する弾力性の緩衝材とエアークション材の一つから構築されてなる前記それぞれ内袋と外袋側壁の少なくとも一つの少なくとも部分とから構成されてなることを特徴とする携帯デバイス。
【請求項１０】
内袋部材を操作可能にして結合し、選択された圧力化媒体を受領するための少なくとも一つの当該間の境界のある空洞を規定する外袋部材と、それぞれ内側側壁と外側側壁を具備する前記内袋部材と前記外袋部材と、前記境界のある空洞に関連する圧力化媒体を伝達するために使用中前記すくなくとも一つの境界のある空洞への選択的アクセスを提供する手段と、内袋開口部を通してアクセスできる前記内袋部材内の携帯物品受領領域と、それによって本質的に均一な圧力でもって前記携帯物品と前記内袋側壁が本質的に適合できるようにしている前記使用中に前記携帯物品受領域周辺で互いに関係して容易に剪断されうる前記内袋側壁と前記外袋側壁と、前記使用中外側を握ることができるようにしてなる携帯デバイスから突出しているハンドル部材と、前記内袋開口部の密閉側のための密閉システムを具備して、前記携帯物品受領領域から前記物品の不意の損失を防止する前記内袋開口部とから構成されてなることを特徴とする携帯デバイス。
【請求項１１】
前記内袋側壁が連続したフィルムから形成されてなることを特徴とする請求項第1項記載の携帯デバイス。
【請求項１２】
さらに、前記境界のある空洞内に少なくとも圧縮性の緩衝部材から構成され、それによって、前記緩衝部材が不意の収縮にかかわらず携帯物品の安全な輸送をできるようにしてなることを特徴とする請求項第1項記載の携帯デバイス。
【請求項１３】
前記内袋部材が、前記境界のある空洞の膨らましに先立って携帯物品を支持するために取り外し可能な裏地支持材を具備することを特徴とする請求項第1項記載の携帯デバイス。
【請求項１４】
前記外袋部材上に少なくとも底部当て布が提供され、それによって、前記底部当て布が、前記携帯デバイスが外部支持表面上に直立を保持できるようにしてなることを特徴とする請求項第1項記載の携帯デバイス。
【請求項１５】
携帯デバイスの製造システムであって、前記携帯デバイスが、さらに、内袋部材を操作可能にして結合し、選択された圧力化媒体を受領するための少なくとも一つの当該間の境界のある空洞を規定する外袋部材と、それぞれ内側側壁と外側側壁を具備する前記内袋部材と前記外袋部材と、それぞれ内袋部材と外袋部材を形成する内袋側壁を結合する少なくとも一つの内側縫い目と外袋側壁を結合する少なくとも一つの外側縫い目と、使用中前記境界のある空洞に関連する圧力化媒体を伝達する前記すくなくとも一つの境界のある空洞への弁アクセスを提供する手段と、内袋開口部を通してアクセスできる前記内袋部材内の携帯物品受領領域と、それによって前記携帯物品を損傷することなく前記携帯物品に前記内袋側壁が本質的に適合できるようしてなる使用中に前記携帯物品受領域周辺で互いに関係して容易に剪断されうる前記内袋側壁と前記外袋側壁から構成されてなることを特徴とする携帯デバイスであって、即時の分離を可能にしてなる各犠牲的部材によって互いに開放可能なように結合された一連の膨らまし携帯デバイスを形成することから構成されることを特徴とする携帯デバイスの製造システム。
【発明の詳細な説明】
【技術分野】
【０００１】
本発明は、携帯デバイスに関する。特に、少なくと一つの内部空洞あるいは膨らむ空気袋あるいは圧力の保存あるいは温度移転媒体を有する、受領品を運ぶための便利なデバイスに関するものであって、受領品の動きを制限するものからなる。
【０００２】
本申請は、2004年11月24日申請の米国暫定特許申請60/630,646から優先権を主張するもので、その内容は本特許の参照部分に組み込まれている。
【背景技術】
【０００３】
携帯中の物品を固定するための包装においてエアークッションあるいはバッグを使うことがいろいろ試みられている。ランダーらは、米国特許5,254.074と5,339,602に、一連の膨らますことのできるエアーバッグを形成するための一般的なプロセスを記載し、携帯物品を固定するために膨らませた物の携帯容器にこれらのバッグを入れることを提案している。ランダースは、さらに、膨らまし弁の使用、携帯容器に入れ、収縮したバッグにするためのチェック弁について記載し、膨らませる前に容器外側の膨らまし弁を延ばすことで容器が密閉された後に膨らませることを提案している。ランダースは、折りたたんでから熱で密封する低密度のポリエチレンのスプールから作られたバッグを作ることを記載している。通商ではプラスティック密封あるいは接着の形が一般的であり、RF（ラジオ波）接着、接着剤接着、摩擦接着などが含まれている。このような運搬用のバッグの使用は、コスト、保管スペース、使用の迅速さの点で便利であり、リサイクル可能製品が使用できるものもある。
【０００４】
上記と同じように、Rapid Fill(R)と呼ばれるシールド・エアーの製品は、ランダースの製品と似通っていて、包装する前には、膨らまされていない状態であったものを、携帯容器を完全に封をする前に空のバッグに圧力をかける段階がある。
【０００５】
一方、ランダースの特許であるSeald Air Fill-AirTM製品がwww.sealdair.comで、携帯物品を固定にするために使用者が未封の箱に押し込んでから予め満たされたエアーバッグで作るようになっている。予め満たされたエーバッグはいろいろな大きさのものがあり、上に記載の利点、即ち低コスト、少ない保管スペース、使用の迅速さ、リサイクル可能材料の使用などを提供している。
【０００６】
ウィルソンは米国特許6,354,245で、旅行中、ペットショー、農場あるいは、コスト的に大きな動物保管ができないような場所での使用に便利な膨らませることのできるペットケージの配備を提案している。示されているように、デバイスは、折りたたんで携帯用の「スーツケース」に納められるような部分的に固定フレームが使われていて、後で空気圧で拡げるものである。膨らませる時に固定フレームに結合されている布が膨らんで、固定フレームを支持して完全なユニットを作るようになっている。デバイスは使用者に本質的な便利さを提供している。
【０００７】
ウィルソンIIらは米国特許6,644,475で、運搬中に物品を携帯し、膨らませる時にピローあるいは緩衝デバイスの両方にバッグを使えるようにするために膨らませることのできる部材を具備している多目的バッグを提案している。携帯ストラップは肩から吊るすもので外側ポケットが携帯を補助している。膨らませることのできる部材はバッグと共にあるいは別々に単独でピローとして使うことができる。
【０００８】
ウイルソンに類似して、グローバルソースTMは半透明のPVCから作られる膨らませることのできるバッグあるいはリュックサックを提供している。単独あるいは2重の肩バンドがあり、外部の製造者が膨らませた密封された室の層を具備するものである。バッグはwww.globalsource.comで購入できる。
【０００９】
ウィルソンに幾分似ているのは眼鏡や小さな電話などの小物を収納するブワナ・パーム・ポンプ・インフレイタブル・プロテクテブ・ケースがある。この製品は中央の開口部とカバー用の折れ蓋を備えている。外側の本体は多重の個別の空気室を備え、魅力的な色で印刷できるようになっている。
【００１０】
以下、図１，２，３を参照して、従来デバイス700は、外側周辺の周りに延伸している本質的に固定された外側の縫い目703と本質的に固定された一続きの内側の縫い目704に沿って結合された外側のバッグ701と内側のバッグ702を具備している。示しているように、携帯デバイス700はInflata-PakTM であって、スリーM、ウイルソン・アベニュー210、セントポール、ミネソタ州、55119 (www.3m.com/office)製のエアークッション包装デバイスとして機能する。デバイス700は、運搬ボックス（図示せず）内でしっかりと固定されるように目的物705の周りで膨らまされた外側バッグ701と一緒になった内側容器702の中に入れて、運搬される押しつぶれない硬い目的物705（一般的には電子デバイスであるが、ワイン瓶として示されている）を受け入れる能力を提供している。ループ706は、膨らませる前に、目的物が、不意に分かれることのないように内側の位置で両サイドを結び付けるものである。
【００１１】
膨らませるためのストローを具備している膨らませ口707は、利用者が内側バッグ702と外側バッグ701との間の部分を膨らませることができるようにするものである。図3に示されるように、空気通路孔708は、デバイスの一方の側から別の側に通じていて空気で膨らませることができるようになっている。収縮口709は、外側バッグ701の上にあって、外側バッグ701内の密閉口を露出するために折り蓋を剥がすことによって一回使用後収縮するもので、一回の使用のみで元に戻せないように空気を逃がすことができるようになっている。
【００１２】
このような構造によって、膨らまされた外側容器バッグ701の外側固定縫い目703の外側の縁は、内側バッグ702の縁に連続的に密閉されるもので、外側容器の膨らまされた本体の平面的な外側表面も、同時に固定された内側縫い目704に沿って内側容器の平面的本体に密閉される。示してあるように、固定された内側縫い目704は、同様に携帯デバイス700の長さと相対的角度で曲げられるものであって、これから記述するように剛体構造の形成を助けるものである。
【００１３】
このような構造の結果、即ち一続きの固定縫い目704に沿って、内側と外側のバッグ701,702をしっかりと結合させるので、内側バッグ702はしっかりと動きが抑えられることになり、外側バッグ701に対して制限されることになり、何れの方向への移動も防止される。最終的に、剛体目的物705を抑える一続きの空気室内にしっかりと膨らまし圧力が加えられることになり、結果として、一続きの高圧領域710と交互にゼロ圧力の領域711が固定目的物705の固定表面に沿って作られることになる。この交互圧力領域の形成は、固定縫い目703の近接した内側縫い目704の曲げ角度によって更に悪くなる。
【００１４】
従って、膨らませている間、膨らまされた本体700の外側平面壁は、縁に密閉された結合と内側容器702の平面表面を経て目的物705の選択領域に直接内側方向への圧力を与えるのである。この構造は内側と外側容器の主平面表面間の移動とエネルギー減少を抑制するものであって、圧力の増加とともに、決められた高圧領域710に（圧力分散運動ができないようになっているので）単独で該圧力を移転する。増大する圧力は、内側縫い目704によって生み出された制限と内側と外側バッグ702,701の間の移動の欠如によってゼロ圧力領域711に拡がることができない。このような剛体構造の更なる結果として、膨らませる際に内側バッグ702の反対サイドで内側縫い目703に沿って形成された一続きの空隙729はどの区画にも接触できないだけでなく、エアーシールを提供する高圧領域710の拡張によって外側バッグ701と一緒に操作できない。このように包装デバイス700は硬い電子製品や他の硬い本体の物品の携帯に適しているが、硬くない物品を潰さないように入れて、保管することには適しておらず、空隙729と物品の周りの封の欠落によって湿気や空気による損傷から物品を保護することができない。
【００１５】
以下、図4から6を参照して、膨らませることのできる飲み物パック720がキスング・インダストリー・カンパニー、www.kisung.comによって製造されていて、外側縫い目721に沿って内側バッグ728に封印された外側バッグ727を具備していて、提供されたストロー722でもって膨らまし口723を経て膨らまされるものである。小さな空隙が、運搬のために膨らまし口723から剛体目的物724の全てのサイドに膨らまし圧力が通っていくようになっている。図1から3に示されたデバイスに類似して、高圧低圧の交互の領域によって剛体目的物724の外側表面の周りに一続きの空隙が形成されるものであって、内側バッグ728の中に湿気が入り、携帯目的物について内側バッグ728内で本質的に一体化できないようになっている。
他の技術分野では、膨らますことのできる石鹸皿が、カエルやほかの動物の形になるものが提供されている。このデバイスでは、子供が入浴中に石鹸皿が浮かべられるものとして使われるものであって、石鹸を保持できるように外側凹みを具備している。浮かべるための支持体であって、それ以外の内側容器部分あるいは物品運搬用として用途はない。
【００１６】
最後に、同様に、食品を氷を使わずに冷たいまま、あるいは熱いまま保つ断熱バッグが提供されていることが知られている。www.insulatebag.com あるいはwww.koldtogo.com で提供されている製品は、ホイル包装で、バッグの中に入れるゲルをベースにした冷却部材のためのディスペンサーを提供している。バッグはホイルでつくられているので、使用者を惹きつけるように装飾的な印刷がなされて売られている。
【００１７】
関連する技術で、評価されないことは、運搬を必要とする非常に幅広い消費者の目的物は、圧力による変形（例えば、玉子、焼き製品、紙製品、包まれたサンドイッチなど）に本質的に抵抗できないものであって、しかも、安全な運搬のために外側との接触についてほぼ単一の圧力を要求するものである。そのような目的物の一般的な例は、サンドイッチ、果物、クッキーやケーキと飲み物で構成される子供のランチに反映されている。このような例では、必要なことは、潰すことなく各物品に確実に接触し、運搬中の意図しない位置のずれに抵抗し、各物品の外側接触部分について共通の圧力を提供することである。
【００１８】
同じように関連技術が評価されないことは、本質的に密閉された容器の使用によって携帯中に湿気との意図しない接触から消費者の目的物などを保護することへのニーズである。
【００１９】
従って、携帯物品の接触表面に単一の圧力を適用をするものであって、安全な運搬を可能にする改良された携帯デバイスへのニーズがあり、本質的に密閉された容器で、外部からの損傷から物品あるいは物品類を保護することのできるものである必要がある。
【発明の開示】
【発明が解決しようとする課題】
【００２０】
本発明の実施例で提案される一つの課題は少なくとも上記記載の不利益を克服する携帯デバイスを提供することである。
【００２１】
本発明の別の実施例で提案されるもう一つの課題は、経済的な生産と選択肢として最使用あるいはリサイクル可能な便利で魅力的な携帯デバイスを提供することである。
【００２２】
本発明の別の実施例で提案されるもう一つの課題は、内部空洞あるいは膨らますための空気袋あるいは圧力の保管あるいは温度移動媒体の少なくとも一つを有する運搬されるべき受領物品のための便利なデバイスを提供することであって、それによって受領物品が潰されること無く動きが抑制されるものであって、あるいは選択肢として運搬中望ましい温度が維持されるものである。
【００２３】
本発明の実施例の提案されたもう一つの別の課題は、圧力変化を損傷することなく携帯物品の圧力接触表面に沿って本質的に共通の圧力利用を可能にする膨らますことのできる携帯デバイスを提供することである。
【００２４】
本発明の実施例の提案されたもう一つの別の課題は、湿気の意図しない進入あるいは携帯物品の意図しない脱落を防止するために、選択肢として、本質的に密閉されうる別の実施例を提供することである。
【課題を解決するための手段】
【００２５】
本発明は、一つの別の適応できる実施例において、第一構成要素から作られた第一内側携帯袋と、その間で少なくとも一つの空洞を規定する第二構成要素から作られた外側結合袋あるいは層を具備する携帯デバイスに関するものである。密閉可能なアクセス口は、開放差動装置を具備することがあり、大気を加圧するあるいは温度に影響する液体、あるいは充填媒体あるいはそれらの組み合わせ物を通すことのできる少なくとも一つの空洞への圧力アクセスを提供するものである。他の実施例において、内側携帯袋はは開放あるいは密閉可能なアクセス、外部大気から分離し、結果として膨らますことのできる空洞によって与えられた圧力から抵抗できるようにするためのアクセスを提供することができる。
【００２６】
本発明の実施例に従えば、携帯容器は、操作可能にして外袋部材によって結合された内袋部材であって、その間で少なくとも一つの部分的に境界のある空洞を規定するものであって、使用中に内袋部材への内側開放アクセスを提供する手段と、携帯容器と少なくとも一つの結合空洞との間の液体、ゲル、圧力伝達の少なくとも一つのための手段と、それによって使用中、物品を損傷することなく物品を安全に保つための内袋部材の外装に物品確保力の適用と除去の少なくとも一つを可能にする少なくとも一つの境界のある空洞の中で少なくとも一つの伝達の少なくとも一つの適合と除去の少なくとも一つを可能にする伝達の手段で構成されるものである。
【００２７】
本発明の一つの別の適用できる実施例にしたがえば、携帯デバイスは、選ばれた圧力化媒体を受領するための内袋部材を操作可能なように結合する外袋部材と少なくとも一つの境界のある空洞を規定する外袋部材と、各内側外側の側壁を有する内袋部材と外袋部材と、各内袋と外袋部材を形成する内袋側壁を結合する少なくとも一つの内側側面縫い目と外袋側壁を結合する少なくとも一つの外側側面縫い目と、結合空洞に対して圧力化媒体を移動するため使用中少なくとも一つの境界のある空洞への弁アクセスを提供する手段と、内側開口部を通してアクセスできる内袋部材の中にある携帯物品受領領域と、使用中携帯物品受領領域の周辺で互いに関連して容易に剪断される内袋側壁と外袋側壁とで構成されるものであって、それによって携帯物品を損傷することなく携帯物品に内袋側壁を十分に適合させるようにすることを特徴とする。
【００２８】
本発明の上記、他の目的、特長と利点は、付帯図面で導かれる以下の記述で明らかとなり、図面では、同じ要素を規定する数字として参照される。
【発明を実施するための最良の形態】
【００２９】
付帯図に図示される本発明の実施例を詳細に参照する。可能な限り、同一または類似の参照番号は同一部分あるいは類似部分を参照する図と明細あるいは段階で使われる。図は単純化された形で、正確なスケールと形ではない。単に便宜性と明快さを目的として、方向言語、例えば、上面、底面、上方、下方、上、上部、下部などが図に関して使用される。これらあるいは類似の方向言語は如何なるものであっても発明の範囲を制限すると解釈されるものではない。更に、「結合」「一対］のような言葉と屈折形態素有する類似言語は直接そして直近を意味する必要はなく、中間要素あるいは手段としての結合を含むものとする。
【００３０】
図7から12を参照して、実施例1の組み立て品１Aは、携帯物品4（ここでは食品）を内袋部材（後述）に受け入れるための決められた内側開口部5への容易なアクセスを提供する穴２Aを有する一対の分離可能な携帯ハンドル２を具備している。
【００３１】
上下面部材７，８は縫い目6`周辺の外周囲6を有する外袋10の外側表面を形成する。膨らましアクセス口3と収縮口3’は、外袋10と内袋壁9’と9”からなる内袋部材との間にあって決められた少なくとも一つのアクセス、空洞200に即時アクセスを提供する。使用中消費者は物品4（サンドイッチとして図示）を内側開口部5の中に方向Aで挿入して、望ましい空気圧となるように気流9Bに沿った空気流を有して結合空洞200を充填するためにストロー３Aを通してアクセス口3を吹くようにして、携帯組み立て品１Aの外袋10を拡張して、 外側シール6’と外周囲6によって決められた態様となることを特徴とする。このような形と圧力が壊したり、損傷したりすることなく物品に安全な圧力を提供できる。本発明は、後述するように、組み立て品１A内で物品4を安全なものにして、物品が別々に入れられた場合に、個々の領域内でそれぞれを保持するものである。注意しておくことは、内袋側壁9’と9“の表面平面は望ましくは、両者間で関連して動くことのできるように外袋側壁7,8の各平面に沿って固定されていないものであることを特徴とする。従って、単一形でない、壊れるような携帯物品に容易に適合できるように携帯物品を、本質的に全ての内袋側壁9’、9”を包むことができる。注意しておくことは、外側と内側の側壁の平面間に本質的な結合がなく、空洞200内で圧力が増加するにもかかわらず僅かな剪断力が与えられることなく、携帯物品に僅かな剪断力も破壊力も加わらないことである。
【００３２】
実施例に従えば、外袋外周囲6は製造者又は消費者によって選ばれる魅力的で便利な形、ここでは亀の形で表わされる形となるように作られることができる。使用に際して、本実施例は、容易で廉価に製造するための外側周囲6の周辺にアクセス口3を提供するもので（外側周囲6を形成する縫い目内のアクセス口3を密閉するものである）あって、携帯組み立て品１Aは一回の使い捨てとして設計される。
【００３３】
膨らましアクセス口3は、膨らますための空洞200にアクセスできる軸鞘開口部3Bで空気の通過を停止させるための軸鞘部3B’で構成される。収縮口3‘は、平面部３Cによって保護的に蓋がされている上面外側部材7上に穴3Dが構成されている。従って、使用中使用者は、携帯組み立て品１Ａを膨らませることができ、運搬することができ、穴３Ｄを露出させるために、物品４を取り出すための内側開口部５にアクセスできるように保持されていた量を開放するために、平面部３Ｃを剥がすことによって組み立て物を収縮することができる。例えば、収縮口３‘は、実際には膨らまし口３も同様で、本発明では接着する平面部/穴の構造として収縮口３’を具備しているが、別の構造ネジ山式の調節可能な開口部であってもよく、このような類似構造の様式はキャンプ用の膨らますことのできる空気マットレスで見られる。
【００３４】
図に示めされているように、内袋９の内側開口部５は、内袋９の形とハンドル２周辺の内側/外側縫い目19,19の位置によって決定される。この態様で、膨らんでいる携帯組み立て品１Ａはハンドル2（図12）の中に膨らまし圧力を提供する縫い目19,19で制止されている。ハンドル2は、それに対して略中心にあって、物品４の不意の損失又は外部からの異物の侵入を防止するためにハンドル２と内袋９の部分と側壁９’,９”を一緒に接触密閉するように押すように閉じて押す動き（図示）を提供するものである。
【００３５】
図に示めされているように、内袋９は、底面で巻かれている末端9Aが形成され、携帯運動中の圧力と容積と外袋10の内袋の運動を容易に同調させるために空洞200全体に容易に空気を通すことができる。
【００３６】
図11と12を参照して、圧力を有する均一形が内袋側壁9’,9”上に押され高低圧の交互領域をもたずに連続した等高線適合を本質的に形成する物品４の周りの均一形で側壁を制止する。上記構造の別の利点は、膨らまし圧力が当初から開始して増大するので、物品４への加えられた圧力は全ての表面で均一であり、加えられた圧力と物品に内袋９は自由に適合できるので、同一の平行化圧力を容器空洞200の両側で受け入れるのである。このことは本質的に無制約運動である。
【００３７】
後述するように、組み立て品１Bの選択肢的構造は外袋10の選択部分に対して内袋9の縫い目を具備している。図に示めされているように、内袋外袋の幅の広い縫い目の表面の間に結合はなく、単に周囲の縫い目に沿っているだけである。従って、内袋側壁9’,9”の幅広い表面に沿って外側上底面部材7,8に固定されることにより本質的には僅かの制約もない。
【００３８】
以後、膨らましまたは使用に先立って支持表面上で、全般的に内袋外袋の縫い目表面（例えば、上底面部材7,8の拡張）は、全般的に「平面表面」として参照される。該表面は、実際上、使用中常に平面であり、滑らかである必要はなく、単に本質的に非縫い目又は少数の縫い目結合が、それらの表面に沿って内側と外側間でなされているものであって、「平面表面」の句は説明の便宜上選ばれたものである。結合は、説明された実施例に従って、必要とされ安全に密閉されるために内側外側携帯物品の両方の外側領域の周りに適合できるように配置されたものである。
【００３９】
本態様において、本発明は、選択肢的実施例を想定して、各縁縫い目によって結合された3つから4つの材料シートから内袋と外袋は形成される。本選択肢な実施例において、縫い目は、一般的な「平面表面」を分離して、膨らまされたときには、縫い目の長さと各「平面表面」の位置に依存する円柱状の外見を恐らくは装うであろう。従って、申請者は、開示と図面とを関連させて検討する場合、語句を容易な記述的特質のために選択したのであって、厳密な数学的規定の態様で選んだものではない。
【００４０】
図13、14と15を参照して、携帯デバイス1Bの別の実施例２は、それぞれ外袋側壁７A,8Aを有する外袋10Aの中に内袋側壁９A’,9A” を有し、適合的に形成された内袋９Aを具備して提供されるものである。図のように、携帯デバイス1Bは、内側空洞200を形成し、膨らまされたハンドル２A,２Aとの間の内側開口部５Aの周辺を密閉接触の中に内側側壁９A’、９A”を置くようになっている。
【００４１】
明らかにしたように、内袋9Aは、不定形の内袋縫い目11A‘近傍に内袋外周11Aを有し、内袋9Aは、外周6Aに結合し、外袋10Aの中で内袋9Aを可撓性のあるように位置させる外周封6A”内に密閉されるために、選択された当て布201で外方向に内袋9Aは突出している。明らかにしたように、膨らまし圧力が内側開口部５A内で物品４上に均一に制止させる力を提供するために容易に分布され、平衡化されることができるために当て布201の間に、複数の開口部が規定されている。図に示めされているように、外袋周囲11Aの選択位置は、外周囲6Aの選択領域に密閉され、両方で携帯デバイス1Bが、即時運動と外袋10Aからの平面制約を受けることなく均一密閉圧力にできるようにして、内袋9Aを肯定的に位置決めし、好ましい美的外観を保持できるようにして、外周6Aの選択された領域に密閉されるものである。本構造に従えば、当て布201に外周に沿って物品４に、内袋9Aの適合において、単に最小の制限があるに過ぎない。
【００４２】
図16と17を参照して、携帯デバイス1Cの別の実施例3は、それぞれ、外袋側壁７C,8Cを有する外袋10Cの中に内袋側壁９C’,9C” を有し、適合的に形成された内袋９Cを具備して提供されるものである。図に示めされているように、携帯デバイス1Cは、内側境界のある空洞を形成し、部分的に膨らまされて、携帯物品と密閉接触の中に内側側壁９C’、９C”を置いている。図にしめされたハンドル2Cは膨らまされて、膨らます過程で、該膨らましは集合的に内袋9Cの側壁を一緒に押すようにして、図に示めされているように、携帯物品の不意の損失を防止する。明らかにしたように、開口部近傍の急速な均一密閉を可能にする内袋9Aの平面表面上で、最小又は本質的制限制止があり、運搬されるべき物品に本質的で安全な均一圧力があり、これは言い換えると横への移動と内袋９Cへの相対的なねじれを除外するもので、魅力的な膨らんだ形の形成に役立つものである。図のように、本携帯デバイス1C は、同様に便利さを一層増しつつ大きな携帯能力を具備するものである。
【００４３】
実施例3に明らかにしたように、内袋９Aは非常に単純で、迅速に構築でき、本質的な2つの半分に外袋10Cの内側領域を分割し、ニ等分することのできる外周6と外側の縫い目6’に本質的に延伸している。図１７で明らかにしたように、膨らまし口3の近傍の内袋側壁９C’,9C” の底部は、密閉結合で、内袋開口部には開かれていない。空気通過穴９"は、内袋9Cの中で収縮を生じることなく外袋10Cの内側領域の両側の間に空気を通すようにしている密閉結合領域を通して穴が開けられている。
【００４４】
図に示めされているように、実施例に従えば、構成物は、別の実施例で本発明の固有の利点を保持しつつ本質的に単純化されることができる。明らかにしたように、本発明の携帯デバイス1Cは、縫い目材料の4枚シートを具備し、膨らまし携帯デバイスのための市場の選択区分に対する魅力を改善しつつ携帯デバイス1Cの安定性の両方を改善することができる。本発明の単純化は、外袋10Cに関連する内袋9Cの懸架と保持である。
【００４５】
図18、19を参照して、携帯デバイス１Dの別の実施例４が、携帯デバイス1Cの実施例3と比較して、説明される。携帯デバイス1Dは、それぞれ、外袋側壁７D,8Dを有する外袋10Dの中に内袋側壁９D’,9D” を有し、適合的に形成された内袋９Dを備えて提供されるものである。図に示めされているように、携帯デバイス1Dは、内側結合空洞を形成し、部分的に膨らまされて、携帯物品と密閉接触中に内側側壁９D’、９D”を置くようになっている。ハンドル2D,2Dは口3から圧力化過程で膨らまされて、示されているように、そのような膨らましは集合的に内袋9Dの側壁を一緒に押すようになっていて、本質的な均一圧力で安全に携帯物品を包み、物品の破壊や不意の損失を防止する。携帯デバイス１Dにおいて、内袋外周１１Dと内袋縫い目１１D’ は、外周又は外袋11Dに結合されておらず、それによって、内袋9Dがハンドル２D,2Dの対峙側の上で共結合内側と外側縫い目肩19D,19Dから懸架できるようになっている。
【００４６】
図のように、携帯デバイス1Dは、内袋9Dが、膨らましの間、外袋10D内で振れる又は移動することができるようされることによって携帯デバイス1Cと対照的である。上記で説明したように、この構造は本質的に同じような利点を可能にしつつ特に繊細な物品の運搬のために付加的な自由度をもたらすものであって、内袋9Dの最小の制限ですら不利な制限である。
【００４７】
図20と２１を参照して、携帯デバイス1Eの別の実施例5は、それぞれ、外袋側壁７E,8Eを有する外袋10Eの中に部分的に形成された内袋側壁９E’,9E” を有し、適合的に形成された内袋９Eを具備して提供されるものである。図のように、携帯デバイス1Eは、内側空洞を形成し、膨らまされて、膨らまされたハンドル2E,２E の間の内側開口部５Eの近傍で密閉接触しているように内側側壁９E’、９E”を置くようになっている。
【００４８】
図のように内袋9Eは、内袋周囲１１Eと内袋縫い目１１E’で構成され、開口部5Eから延伸して、携帯デバイス１Eが好ましい外見になるようにできる外袋縫い目６E’と外袋周囲６Eを交互に交差させている。特に図21のように、気流又は空気通路202は内部空洞を通過して、外袋１０E内で内袋周囲11Eが通過している。本実施例によれば、内袋11E’は内袋と外袋部材の両方を密閉し、内袋部材9Eは外袋縫い目１１E’によって密閉された内袋９Eの部分の膨らましを防止するために交差している。外袋縫い目11E’の選択的規制でもって、本実施例の別の例は、各内袋側壁に密閉することによって内袋側壁９E’,9E”を密閉することができるであろうと想定される。
【００４９】
先の実施例のように、本発明の構造は、外袋部材10E内で単に内袋部材９Eの中程度の位置制限をできるようにするものであるが、それらの間で相対的な運動ができるようになっている内袋外袋部材の平面表面を本質的には結合させてはいない。従って、選択された望ましい実施例の本開示の如何なるものも鋲止めまたは、内袋外袋部材の平面表面間で縫い目を少しも制限しているものではなく、内袋部材９Eを携帯物品の形に適合するようにすることの目的は、制限されるものでない。
【００５０】
図2２と２3を参照して、携帯デバイス1Fの別の実施例６は、それぞれ外側側壁7F,8Fを有する外袋10Fの中に部分的に形成された内袋側壁９F’,9F” を有し、適合的に形成された内袋９Fを具備して説明され提供されるものである。図に示めされているように、携帯デバイス1Fは、内側空洞を形成し、膨らまされたハンドル2F,２F の間の内側開口部５Fの近傍で密閉接触の中に内側側壁９E’、９E”を置くようになっている。
【００５１】
膨らまし口３Fは、内袋外袋部材９F,１０Fの末端で内側開口部５Fに対峙する位置にある。本実施例において、内袋部材９Fは、外周囲１１Fと外周縫い目11F‘を、本質的には、外袋部材10F内に有し、底部領域では、内袋部材９Fの部分は、外側部材７F,8Fの緩い部分でもって膨らまし口３Fを隠すために外周６Fと外周縫い目６F’の向こう側に突出している。
【００５２】
携帯デバイス１Fの実施例6では、内袋部材は、二つの対峙する末端固定領域、従ってハンドル２Fと開口部５Fと膨らまし口３Fの近くの領域の間で保持されている。従って、本実施例は、内袋側壁９F,9F’の平面表面を制限しない態様で確実に内袋部材９Fを位置決めし、膨らましの間に外側側壁７F,８Fから離れた内袋部材９Fを保持し、それによって、緩衝作用を増大させて、内袋部材９Fを、外側表面にそって不規則な圧力集中が無いように携帯される物品に容易に適合できるようにして保持する。
【００５３】
図24と25を参照して、携帯デバイス1Gの実施例７は、内袋周囲縫い目11G”に沿って内袋外周11G’の近傍で結合された内袋壁を有し、適合的に形成された内袋11Gを備えて、説明され、提供されるものである。外袋10Gは、それぞれハンドル部分２G,2Gを具備する二つの結合された外袋側壁から形成される。図に示めされているように、携帯デバイス１Gは携帯デバイス1Gの尾の部分に沿って膨らまし部材３を経て膨らまされる。示されているように外袋１０Gは、外袋周囲６Gと外袋周囲縫い目６G’によって規定される。
【００５４】
本実施例では、ハンドル２G,2Gは膨らまさられるものではなく、製造の多様性と適合できるようにするためで、例えば、簡単に廃棄される制限使用設計を備えるものである。図25から明らかなように、単純化された構造であって、従って、内袋外周縫い目11G”に沿って結合された内袋部材１１Gは即時形成される。同様に明らかなように、ハンドル部材２G,２Gの何れかの側の領域205Gで内袋部材11Gと外側縫い目を結合させていることである。携帯デバイス１Gの構造を備えて、領域205Gにおける縫い目に沿って内袋11Gは、外袋10Gの中で懸架されるものであって、両方の外側縫い目6G’は内袋側壁１１G’と11G”の部分と共に結合することが当業者に理解される。本構造の利点として、内袋部材11G側壁は、表面に沿って圧力を保持しつつ均一に適用し、損傷をさけるために携帯物品の外側表面を均一に接触させるために外袋10G内で動くことが完全に自由である。
【００５５】
図26と27を参照して、本発明の実施例８と９を説明する。  
【００５６】
図26は、内袋部材１１Hと外袋部材10Hを具備する携帯デバイス１Hの実施例８である。内袋部材１１Hは、例えば図25の連続した密閉内袋周囲縫い目11G”と対照的に巻かれた底縫い目11H’を具備する。外袋部材10Hは、ハンドル部材２Hを提供して外側縫い目6H’で外周6Hに沿って密閉された各外袋側壁７H,8Hを具備する。ハンドル部材２Hは膨らまされない構造で示されているが、先に記述された膨らましうるハンドルが容易に本実施例に適用されることができるものであることが当業者は認識できる。空気膨らまし部材３は、本質的に均一な圧力外周に沿った位置で、携帯物品を密閉するための内袋11Hの側に沿って密閉接触206Hを膨らまし圧力207Hが用いことができるようにする。携帯デバイス１Hは、携帯デバイス１Gの中にあるので、内袋部材１１Hは、携帯される物品を安全に保持するために外袋側壁７H、８H内で自由に動けるようになっている。
【００５７】
図27は、携帯デバイス１Iの実施例9であって、外側側壁7I,8Iを有する外袋部材１０Iとそれぞれのハンドル部分を具備する。外側側壁７I,8Iは、外側周囲縫い目６Iに沿って密閉されていて、さらに内袋11E（上記で明らかなように、内袋１１Hに類似して構築されている）はそれと関連する動きに抵抗するために外側側壁８Iに内袋縫い目１１E’で密閉されている。携帯デバイス１Iは、携帯デバイス１Iは、単純化された態様で構築され、いろいろな市場条件に容易に適合し、さらに、動いている間内袋１１Eを制止させるため経済的な方法で携帯デバイス１1Eは経済的な構築を提供している。
【００５８】
図28,29を参照して、携帯デバイス1Jの実施例10は、それぞれ、ハンドル部分２Jを備える外側側壁７J ,8Jを有する外袋10Jの中に部分的に形成されて、内袋境界11J’で内袋縫い目１１J”で結合されている内袋側壁9J’,9J” を有し、適合的に形成された内袋9Jが説明され、提供されるものである。図に示めされているように、携帯デバイス１Jは、多重の内側空洞を形成し、ハンドル２J,2Jの間で内側開口部５Jの近傍の密閉接触内に内側側壁９J’,９J”を置くように膨らまし口３Jによって膨らまされる。外袋境界１１J‘は外袋縫い目６J’で、外側周囲６Jで密閉されている。領域X内で特に明らかなように、成形縫い目６J”は、外側縫い目６J’に関連する位置に置かれ、内袋９Jの操作に影響することなく外袋１０Jの膨らみを部分的に制限している。明らかなように、成形縫い目６J“は、携帯デバイス１Jのための好ましい形を形成するために縫い目6J”を成形することによって規定された形の領域となるように非連続的に空気を流すことができる、さらに、安全に携帯されるべき物品の密閉と保持のために内袋側壁９J’,９J”上に密閉圧力を形成できるようになっている。
【００５９】
携帯デバイス１Jの実施例10の教示を使用し、適合することで、製品の販売促進のための努力において、商業的に好ましいどのような形にでも携帯デバイス１Jの形を容易に適合させ、図４８，49と50で明らかなように、ワイン携帯バッグのような特別な製品に消費者製品の当業者が適合することができる。
【００６０】
図31と32を参照して、携帯デバイス１Kの実施例１１は、単一部材から折りたたまれ、一対の内袋縫い目11Kに沿って結合された内袋側壁を有する適合的に形成された内袋9Kを備えて、説明され、提供される。本実施例に従って、例えば二つの分離された膨らまし室、上室211Kと底室２１１K’が内袋9Kのいずれかの側に形成されている。上部膨らまし室211Kは口3Kを経て充填され、収縮される。下部膨らまし室211K’は口3K’を経て充填され、収縮される。特に明らかなように、、当業者は全ての実施例に適用することが理解できるように、口３は膨らましのためのストロー膨らまし部材を具備する。使用後、同じストロー膨らまし部材が口から挿入され、軸鞘壁上への密閉圧力に抗して、膨らまし室から空気が抜けるようにして携帯デバイスが収縮する。
【００６１】
本実施例に従えば、分離した上底部外袋部材10K,10K’が、示されるように、それぞれの上部外袋側壁7K,8Kと7K’を具備して形成されている。図32に開示される組み立て品にあっては内袋9Kからなる内袋組み立て品210と各外袋内側側壁７K,8K’は製造速度を早くする組み立て段階で前もって成形される。本実施例に従えば、内袋9Kは、外袋内側側壁７K,8K’と各上底部室211K,211K’は携帯デバイスの密閉を強制するために膨らまされる。内袋組み立て品210の構築に続く、第二の組み立て段階において、外袋外側側壁８K,7K’は外側境界縫い目6K’で各外側境界6Kに沿って同じように結合される。
【００６２】
携帯デバイス1Kの設計の利点の一つは、使用者が各室211K,211K”を別々に膨らませることができることであって、携帯されるべき物品の種類によって膨らまし圧力を異なるものにできることである。本構造の更なる利点は、内袋9Kは、物品に本質的な圧力接触ができるように携帯される物品上に内袋9Kの側壁を空気圧が押すことによって関連する即時の、スライド可能な平面運動ができるようにするが、ねじれと歪みに抵抗するように、中間室211K内で外袋内側側壁7K,8K’間で保存されることである。
【００６３】
本構造の更なる利点は、外袋内側側壁7K,8K’を密閉することによって内袋9Kの周りに形成された中間壁211K”が携帯物品のために冷蔵庫で冷やしたり、電子レンジで望ましい温度に加熱できる水のような熱移動媒体で満たされることができることである。さらに、本実施例に図示されていないが、同業者は、9Kの即時運動を可能にし、外側室211K,211K’からの均一圧を確保することの移動ができるようにビーズ状の形をした断熱材で充填されることが理解できる。
【００６４】
図33を参照して、携帯デバイス１Kの実施例１2に従って、内袋領域11Lで内袋縫い目11L’で結合され、外袋側壁と各ハンドル部分2Lを有する外袋10L内に形成された内袋側壁を有する適合的に形成された内袋9Lを説明し、提供する。外袋側壁は、外側境界縫い目６L’よって結合され、内袋9Lから横方向に拡がる多数の当て布あるいは安定部材212を更に固定している。当て布212の間に形成されたものは、口3Kから膨らまし圧力が内袋9Lに等しく分布し、包囲することができるようにしている多数の横方向の空気通路213である。図に示めされているように、携帯デバイス1Lは、使用中膨らまし口3Lを経て膨らまされて、膨らまし圧力は、携帯物品上に均一な非破壊携帯圧力を適用するために容易に分布される。本実施例の利点の一つは、当て布212が内袋9Kの平面壁が、内袋9Kを害するように制止することなく均一な非破壊圧力を適用するために外袋10Kの各平面壁に関連して容易に移動することができるようにしていることである。当て布212の別の利点は、もともと内袋側壁の部分として形成され、それによって製造過程が迅速化するような当て布を形成するために縫い目11L’によって密閉されることである。
【００６５】
図34と35を参照して、携帯デバイス1Mの実施例13は、それぞれ、ハンドル部分２Mを備える外側側壁７M,8Mを有する外袋10Mの中に形成されて、内袋外周11Mで内袋縫い目１１M‘で結合されている内袋側壁９M’,9M” を有し、適合的に形成された内袋９Mが記載され、提供されるものである。図に示めされているように、記載されるように、携帯デバイス1Mは、圧力伝達において上方部と下方部に分けられた連続室218を形成する膨らまし口3Mを経て膨らまされる。外袋領域6Mは外袋周囲縫い目6M’で密閉される。
【００６６】
外袋側壁7M,8Mは単層ハンドル2Mを備えて示されているが、本開示を基に、膨らましハンドルを形成する内袋側壁を拡張することによって本実施例は修飾されることができることは容易に想定される。
【００６７】
本実施例にしたがって、分離部材は、外袋側壁7M,8Mと内袋側壁9M’,9M”間の関連する平面運動を制限することなく不意のねじれを防止するための内袋部材9M上の僅かな制限を提供するための当て布213に沿って外袋縫い目6M'を内袋縫い目11M’に結合させている当て布拡張214を形成している。
【００６８】
複数の留め鋲点217は、当て布拡張214を内袋周囲11Mに対して安全なものとし、さらに、当て布拡張214に沿った複数の空気通路217が下方と上方の連続室218との間で即時に圧力伝達できるようになっている。本発明の一つの利点は、当て布拡張が内袋と外袋部材間の平面距離より大きくできることであって、それによって、保持されるべき大きな物品に適応でき、それを包むために、内袋９Mを膨らましている間に更なる可撓性を提供することである。従って、本携帯デバイス1Mは膨らまされない状態で支持表面上で平らに置かれることができるよう示されているが、当て布拡張214は拡張され、携帯デバイス1Mはもはや保管時平らに置かれないだろうが、より一層の可撓性を必要とする異常な形の物品を受け入れることが利点としてあるであろう。
【００６９】
図36を参照して、携帯デバイス1Nの実施例14が、内袋部材9Nに関連して膨らましと収縮の口３Nを経て操作されうる膨らまし室218Nを受け入れる空気を規定する外袋部材側壁7N,8Nを有する外袋部材10Nとともに示されている。本実施例は、一対のハンドルハンドル2Nに伸びる外袋部材側壁７N,8Nを示している。
【００７０】
複数の取り外し可能で、使い捨ての可能な裏地9N’,9N”,9N’”は、開口部に沿って形成された一連の引き剥がし可能な止め鋲点53によって内袋部材9N内で安全に取り外しできるものである。内袋縫い目11Nは、内袋部材9Nの側面を密閉するものであって、各使い捨て可能な裏地は、各側面封鎖を特徴とする。
【００７１】
図36に示されるように、各上部開口部に沿った一連の取り付け点あるいは応力集中手段が、使用中の保持と使用後の取り外しを再使用のための内袋表面を汚れのないままにできるようにしている。携帯デバイス１Nの使用例は、携帯されるべき可撓性物品を有しいるもので、例えば、取り外しに続く内袋部材９N内に残留物を残すような傾向がある焼き製品あるいは大きな果物などの物品である。各使用後、使用者は、再使用のために汚れのない表面を曝していて、連続している使い捨て裏地を取り除くために携帯デバイス１N内に手を伸ばすことができる。各連続した使い捨て裏地は、周辺に関係して滑るように位置が決まるので、膨らましの期間働く即時の本質的な均一な保持圧力が空気室218Nから携帯物品に安全にして移動される。本携帯デバイス1Nは、ねじれに対して内袋9Nを安全に、膨らますことのできるハンドルを用いるなどここで記載された関連実施例によって提案されるいかなる態様でも適合されるものである。従って、本ハンドル2Nは膨らまされるものではないが、空気室218N内での拡張が、携帯物を安全に密閉するために開口部を同じように閉じるように押さえるのである。
【００７２】
図37と37Aを参照して、携帯デバイス1Oは、破壊抵抗本体支持版と内袋支持部材22Oとを組み合わせた内袋部材9Oと外袋部材10Oを備えて示されている。外袋部材10Oは、方向Qに沿った内袋部材10O内で支持部材22Oを受領する内部開口部5Oを作っている外袋部材縫い目6Oに沿って結合された外袋部材側壁7O,8Oを具備する。別の携帯デバイス1Oに適合するものは、支持部材22O上の柔らかい裏地221Oを具備する。
【００７３】
携帯デバイス1Oの本実施例によれば、特別な繊細さを有する物品、例えば、陶器は、支持部材22O上に置かれ、膨らまし口3Oに先立つ方向Qに沿って開口部内で滑らされる。組み立て後、使用者は、関連する移動なく、内袋部材9O内で携帯物を安全にするために膨らましたり、収縮させたりすることができる。別に、一連の非常に小さい物品は、支持部材22O上に置かれ、膨らまし期間柔らかい裏地221O上に柔らかく押し付けられる。本実施例において、支持部材は、内袋部材9O内で十分に適合するための理想的な形であって、膨らまし開口部５Oを密閉できるが、完全な操作にとって必要ではない。さらに別の実施例は、容易に清掃と殺菌ができるようにした支持部材22Oのための再使用可能なカバーを提供するものである。
【００７４】
図38を参照して、携帯デバイス1Pの実施例16は、説明され、示されるように、適合的に形成された内袋部材9Pとハンドル部分2Pに突出している外袋10Pを備えて提供される。本実施例では、内袋部材9Pは、携帯物品に付加的レベルとしてある程度の固有の緩衝と圧壊抵抗を提供する可撓性部材として示されている。内袋部材9Pの側壁は、内側ナイロン表面仕上げ9P’、内側弾性層9P”と外側ナイロン仕上げ表面9P’”を具備している。今のところ、内袋部材は、ネオプレン、SBR、あるいは他の天然あるいは人工起源の適切な型の弾性材料から構築されることができる。明らかに、内側ナイロン仕上げ表面9P’は、携帯デバイス1Pに円滑な入れと再使用のための容易な清掃を提供することが意図されるが、本発明の精神と範囲を逸脱することなく、取り除かれることができる。
【００７５】
本発明の一つの利点は、不意の収縮あるいは膨らましの失敗を携帯デバイス1Pが被り、携帯物品が最低の保護のままである場合に、内袋部材9Pによる追加の保護の度合いである。本構造の追加の利点として、内袋部材9Pの即時可撓性が、携帯デバイス1Pが先に説明された態様で機能し、携帯物品に本質的で均一な緩衝と安全にする力を提供できるようにすることである。携帯デバイス1Pの構造は、先の実施例に類似しているので、ここでの構造は、本発明の精神と範囲を逸脱することなく、先の該実施例に関連して変更されることができる。
【００７６】
図39を参照して、携帯デバイス1Qの実施例17が示され、示されるように外袋部材10Q内に置かれた適合的に形成された内袋部材9Qを備えている。ネオプレン、SBR あるいは、合成あるいは天然起源の弾力のある他の適切な種類のもので形成された内部緩衝層10Q’は、内袋部材9Qと外袋部材10Qの間に置かれ、示されているように外袋部材10Qの外部側壁の平面表面に固定されている。前記実施例に類似する適合において、緩衝層10Q'は内部と外部ナイロン面10Q”,10Q’”を有することができる。本実施例と全ての他の実施例の双方において、緩衝層とナイロンカバーは、同じ結果を達成する適切な既知の材料に適用されるものであることは当業者には理解されるべきことである。従って、例えば、ナイロンカバーは、本発明の範囲から逸脱することなく異なる材料によって置き替えてもよい。
【００７７】
視覚空隙230Qは、外袋部材10Qの底部で、内袋領域の即時の視覚化を可能にするために提供される。
【００７８】
同様に認識されるものとして、本発明の携帯デバイス1Qと実際に全ての本発明の全ての実施例は、さらに、内袋部材9Qの側面を結合するために使われる密閉と安全部材71Q,71Qを具備する。密閉部材は、いろいろな技術と密閉必要性に適合するものであて、内袋開口部の側面を密閉するのに役立つためのベルクロのタブ、ベルクロの細長い片、ジップロック式のキー溝、粘着性の細長い片と半粘着性部材であってもよい。非常に厳重な密閉が必要な場合には、密閉部材は、アクセスの制限と内袋開口部を固定するために平衡して使われることができる。
【００７９】
図40と41を参照して携帯デバイス１Rと1R’が、各内袋部材9R,9R’内で、各内側ポケット231,232を具備する。外袋部材10R,10R’は、先に説明された方法で作られる。
【００８０】
本実施例と内側ポケット231,232の使用の一つの利点は、より大きな内袋部材内で、携帯物品を包装し、固定することの容易さである。示されているように、サンドイッチは、不意の移動や損傷を防ぐために内袋に保持され、さらに、より多くの携帯物品が、内袋部材9R,9R’内の他の場所に保管される。
【００８１】
本実施例は、一つの内袋をもって示されているが、消費者の便利さのために、内袋部材9R,9R’あるいは外袋部材10R,10R’の外部表面のいずれかに多数のポケットが設けられることが認識される。さらに、内側ポケットは、適切な温度で携帯物品を保つ低温あるいは高温を保持することに適用される。さらに、内袋は、使用者の便利さのために永久的に固定された高温あるいは低温パックを具備することができる。
【００８２】
図42を参照して、記載の携帯デバイス1Sの実施例19は、内袋部材を備える急速な接触のために圧力がかかったあるいは他の媒体を受け入れるための境界のある領域233を形成する外袋部材10S内に内袋部材9Sを具備する。明らかなように、境界のある領域234は、内袋部材9Sのいずれかの側に固定され、携帯デバイス1S内にあって、携帯される物品の適切な加温あるいは冷却ができるようにする熱移転媒体235で充たされる。例えば、熱移転媒体235は水であり、冷凍されると内袋部材9S中で物品を冷却しておくことができる。本構造の更なる利点は、熱移転媒体235は、例えば、容易に温めたり、冷やしたりできるゲルであるが、同様に、携帯物品に圧縮緩衝の付加的層を提供する。従って、本携帯デバイス1S実施例は、消費者の多様なニーズに望ましい要素の組み合わせを達成するために、ここで明らかなにされた別のいかなる実施例と組み合わせて、修飾することができる。
【００８３】
図43を参照して、携帯デバイス1Tの実施例21では、別のところで論じた実施例に類似する方法で構築される外袋部材10T内で適合するように作成された内袋部材9Tが提供され、説明される。明らかなように、緩衝手段あるいは熱移転手段236は、不意の収縮期間中、携帯物品に付加的な緩衝を提供するために内袋部材内9T内に形成される。具体的に示されているように、内袋部材9Tは、一般にエアークションと呼ばれる製品から構成され、薄いビニールのシートの間に空気を取り込んだ物からなるものである。携帯デバイス１Tは、付加的な緩衝を提供するために内袋部材を形成するために該製品を利用する。従って、本発明実施例に従えば、膨らまし前あるいは膨らましの間の両方で緩衝保護ができ、安全因子は、膨らましに先立って、携帯デバイス1Tに用いられる。該緩衝手段は、エアークション、ネオプレン、あるいは、ゴム、他の当業者に知られた適切な緩衝手段であると理解される。
【００８４】
図44を参照して、携帯デバイス１Uの実施例21で、エアークションのような緩衝材236から構築される外袋部材内10U内で適合的に形成された内袋部材9Uを備えて提供され、説明される。図に示めされているように、外袋部材10Uは、前記の実施例から容易に理解される方法で機能する複数の緩衝エアーを具備する。
【００８５】
図45を参照して、携帯デバイス１Vの実施例2２で、エアークションあるいはネオプレンのような238に示される緩衝材から形成された適合的に形成された内袋部材9Vが提供され、説明される。外袋部材10Vは、239で示される類似の緩衝材から形成される。図45に明らかなように、内袋部材と外袋部材の両方が、外部表面の周りを本質的に均一な緩衝圧力をもって携帯物品を厳密に包むことを内袋部材9Vができるようにするために互いに関連して置き換えられることができる。
【００８６】
図46を参照して、携帯デバイス1Wの実施例23は、外部境界のある外袋部材10W内で、内部携帯袋部材9Wを具備することを示している。内袋部材9Wの内部側壁表面に沿って、一つ以上の密閉できる縫い目241が、内袋外袋部材間の境界のある膨らまし領域に即時にアクセスすることができるように配置されている。密閉できる縫い目241は、好ましくは、気密性であるが、構造と消費者の好みにより空気抵抗性であってもよい。
【００８７】
本実施例は、内袋外袋部材の間の膨らまし領域内でピーナッツ形の緩衝部材240の使用を想定している。多数の膨らまし部材240を設置した後、縫い目241が、即時の輸送のために口3Wを経て、携帯デバイス1Wを使用者が膨らますことできるようにするために密閉される。従って、本発明は、不意に収縮させられたデバイス1Wを携帯するバックアップとして、緩衝部材240の使用を想定している。同じように、内袋部材9Wの中に置かれた携帯物品は、直ちに不意の損傷を制限するために膨らまし段階に先立って、直ちに緩衝化される。
【００８８】
図47を参照して、携帯デバイス１Xの実施例24は、一対の携帯ハンドル周辺の内部開口部5Xを経てアクセスできる内袋部材9Xを境界付けている外袋部材10Xを備えて提供され、説明される。前記実施例に類似して、熱緩衝システム242は、位置が決められて、内袋側壁のどちらかの側面上で、規制された膨らましと収縮弁243を具備する。コーティングされたナイロンあるいは他のカバー244の中に入れられる一対の開放セル形部材245,245は、弁243を備える内袋部材の何れの側面上での圧力伝達に中にある。外部周辺246は、消費者の要求に適合する修飾的特徴を備えて提供される。
【００８９】
携帯デバイス1Xの使用中、使用者は、開口部５Xに携帯物品を挿入し、開放セル形部材245,245によって直ちに携帯物品は緩衝化される。示されているように、開放セル形部材は緩衝システム242中の内袋外袋部材間で決められた領域を充たすために完全には拡張しない。物品が設置された後、使用者は、通常圧力下、それらが拡張できるように開口弁243によって各形部材245を膨らます。熱緩衝システム242内で拡張する空気を捕捉するために弁243はそれから閉じられる。次に、使用者は、携帯物品上に形部材を押し付け、該外部表面に沿って本質的に均一な緩衝を提供するための弁3Xを経て内袋部材と外袋部材間の領域を膨らませる。
【００９０】
図48,49と50を参照して、携帯デバイス1Yの実施例25で、ワイン携帯物品4Yに特に適用される形を備えてたものが提供され、説明される。内袋側壁部材を有する内袋部材9Yは、外袋側壁7Y,8Yを有する外袋部材10Y内で密閉され、該当間の膨らましと断熱空間248を決めている。弁部材3Yが提供され、領域248を通して膨らむことができるために前記で説明された方法によって機能する。図に示めされているように、一対の膨らましハンドル２Y,2Yは、内部に安全に物品４Yを一緒に具備する携帯デバイス1Yのどちらかの側を押すことを、膨らましの期間に圧力でできるようになっている。示されるように、外部密閉縫い目６Yは、膨らまし圧の迅速な配送ができるように外部側壁7Y,8Yと、物品4Yの底部周辺の空隙247を安全なものにしている。内袋と外袋部材の平面表面は互いに関連して固定されていないので、単一圧力でもって物品4Yを安全に包むために内部側壁は容易に移動できるようになっていている。示されているように、外袋部材10Yは、該上に喜ばしいパターンで印刷できるようにマイラーから構築されているので、携帯デバイス1Yは、購入時に容易に利用できるギフトの包装として使われる。
【００９１】
図51と52を参照して、示されるように携帯デバイス1Zの別の実施例26は、別のハンドル２Z,2Z‘を具備する。外袋部材10Zと内袋部材は、前記のように構築されている。本実施例の一つの適合は、一対の締め付け顎250を有する取り外し可能な頭部修飾252として形成された取り外し可能な締め付け手段249の下にある内袋部材の内部開口部が、単に一つのセットのハンドルに準拠したものである。図に示めされているように本実施例は、側面位置で携帯デバイス1Zを輸送することを使用者ができるように第二の携帯ハンドル２Zを提供している。
【００９２】
締め付け手段249は、携帯ハンドル2Z’を安全に閉じるために締め付け顎250を押し付けるバネ251を用いている。固定手段253は、締め付け顎250を備える修飾部材252を結合して、即時置換できるようになっている。携帯デバイス1Zは、締め付け手段249とは分離して販売されることもでき、締め付け手段249は、大衆への魅力を増すために各種の修飾部材252の別の使用ができるように多目的の促進物品として別に販売されるだろうことが想定される。
【００９３】
図53と54を参照して、携帯デバイス100Aの実施例27は、膨らまし、収縮のためのアクセス口103Aを経て操作できる該部材間の膨らまし区域を決め、境界のある内袋部材109Aと外袋部材110Aを具備している。内袋部材109Aは、内部蓋部材106と側面当て布として内側側面部材106A,106Bを具備し、同様に内底部折り目部材106A’,106B’を具備している。底部折り目105A'は、内袋部材１０９Aを折り曲げる上で役立ち、各内袋部材要素を結合させる縫い目でも役立っている。
【００９４】
外袋部材110Aは、非使用中に折りたたみ小さくするのに役立つ底部折り目105Aを有する外側蓋部材107A上に、一対のハンドル部材102A,102Aを具備する。側面当て布部材108A,108Aと底部側面部材108A’,108A’は、内袋部材と外袋部材109A,110Aの間で内側領域の形成ができるような密閉された態様で外側蓋部材107Aの側面を結合している。一連の外袋部材101Aは、各パネルを全体的に均一に結合している。示されているように、一連の外袋部材101Bは、各パネルを全体的に均一に結合させている。携帯ストラップ取り付け点104B は、携帯を容易にするためにストラップ104Aの即時の脱着ができるようにするために外側蓋部材107Aから突出している。
【００９５】
本実施例は、部分的に膨らまされた態様でもって図53に示されているが、本質的に平面で輸送が容易な形にするために口103Aを経て容易に収縮され、いろいろな折り目線に沿ってたたまれる。当業者は、ここの内容は、携帯デバイス100Aが、使用するのに便利で安全で、一般的に楕円系の外観の外袋110Aを有する婦人用ハンドバッグとして機能することを、容易に認識するだろうと理解する。密閉縁、チャックあるいはハンドバッグに一般的な他の手段は、内部蓋部材109Aに確実に開口部を密閉し、膨らまし期間中密閉するために役立つ。本設計の一つの利点は、一連の充て布と縫い目が携帯デバイス100Aが膨らまされたあるいは収縮された態様で直立することである。
【００９６】
図55と56を参照して、携帯デバイス120Aの実施例28が提供され、外袋部材130A内にあって内袋部材129Aを具備する。膨らまし、収縮口123Aが提供されているが、代わりにねじれ弁を備えて適合的に提供されることができる。ハンドル122Aは、消費者が容易に握ることができるように内袋部材、外袋部材129A,130Aから突き出ていて、ストラップ取り付け点124A’は、容易な握りと輸送のためにストラップ124の取り付けができるようになっている。
【００９７】
図に示めされているように、内袋部材129Aは、内袋側面縫い目128Aを結びつけている内袋底面当て布125A、内袋当て布軸鞘部125A’と内袋当て布縁部125A”を経て一連の折りたたみができ、小さくできる底面縁とコーナーを備えて形成されている。
【００９８】
示されているように、外袋部材130Aは、外袋側面縫い目127Aを結びつけている外袋底面当て布126A、外袋当て布軸鞘部126A’と外袋当て布縁部126A”を経て一連の折りたたみができ、小さくできる底面縁とコーナーでもって形成されている。
【００９９】
前記実施例のように、本携帯デバイス120は、膨らまさないで直立できるようになっていて、自己支持となっているが、選択された縁部、当て布、縫い目を折りたたみ、境界付けられた膨らまし領域内の全ての空気を取り除くことによって容易に小さくできるようになっている。
【０１００】
図57,58を参照して、携帯デバイス140Aの実施例29は、両者の膨らまし空洞を規定している外袋部材150Aによって結合された内袋部材149Aを具備する。膨らまし、収縮口143Aは、操作的使用のために空洞に伝達できるようには配置されている。内袋部材149Aは、中央の折りたたみ縫い目、内袋当て布軸鞘部と当て布縁部145A',145A'を有する内袋当て布145Aを有する。一対の内袋側面縫い目148Aは、内袋部材149Aと各当て布と縁部とを合わせ、携帯袋を提供する。外袋部材150Aは、中央の折りたたみ縫い目148A’と各外袋当て布縁部146”を有する底部外袋当て布146Aと当て布軸鞘部146A’を具備する。側壁150A’,150A”は、横方向の支持のための延伸縁部を形成する外袋側面縫い目147Aに沿って結合される。示されているように、本構造は、本質的に平面形に携帯デバイス140Aを小さくする必要な部分を使用者が折りたたみ、皺にするまで便利な直立の位置に保つことを携帯デバイス140Aができるようにする。使用に際して、内袋部材と外袋部材の側面パネルは、接触を制止しないで、均一な携帯圧力を有する携帯物品の周りを容易に小さくすることができるように膨らまし中に自由に動くことができるようになっている。一対のハンドル142Aは、示されているように、側壁150A’,150A”から突き出ていて、携帯ストラップ144のためにストラップ取り付け点144A,144Aを形成するための延伸する縁部を結合している。
【０１０１】
上記のように携帯デバイスの各実施例において、デバイスは、使用者の便利さが最大となるように設計され、さらに、輸送中の小物入れ物品を安全にする膨らまし過程の選択的使用ができるようになっている。当業者は、前記の別の設計は、本発明の範囲と精神を逸脱することなしに図53から58に示される携帯デバイスの構築過程に容易に適用されるものであることを容易に認識するであろう。
【０１０２】
図59と60を参照して、携帯デバイス160Aの実施例30が提案され、外袋部材170A内に含まれる内袋部材169Aを備えて説明される。境界のある領域は、圧力化と圧力開放弁部材163Aを経てアクセスできる内袋部材と外袋部材の間で規定される。外袋部材170Aは、外袋側面パネル170B,170B"と、示されているように、各外袋側面パネル170A’と170A”を結合している足部164Aを具備する。外袋側面パネル170A’,170A”は、使用者によって即時に握るための各ハンドル部分162Aを形成するために足部164Aから上方向に延びている。一連の外袋側面縫い目167Aは各外袋部材を結合している。密閉可能な開口部165Aが、内袋部材169Aの上面開口部と携帯デバイス160Aの密閉ができるようにしているハンドル部分162Aの周辺に形成されている。描かれた当て布構造に基づいて、当業者は、携帯デバイス160Aは容易な輸送のために容易に平面に押され、容易に拡大できることを認識する。使用中、携帯物品は、密閉可能な開口部165の向こう側の外袋部材170Aに取り付けることによって制止されない内袋部材169A内に置かれ、膨らましの間、既知の構築技術によって強いられる圧力濃縮がなく確実にたたまれることを提供するために携帯物品を本質的に取り囲むことを内袋部材169Aができるようになっている。
【０１０３】
図61から68を参照して、外袋部材は、別の外周囲と構造的な利点を有するいろいろな魅力的で望ましい形に構成される。本デザインは、単に例として提供されるものであって、容易に別のデザインに適合される。
【０１０４】
図61を参照して、携帯デバイス181Aの実施例31は、各携帯デバイスを結合している一連の犠牲的な橋部材182A,183Aを開示している。本実施例は、一連の多重の携帯デバイス181Aの製造を可能にして、携帯デバイスの選ばれた何れの外周でも、何れの方向でも適合される橋部材182Aに沿って各取り外し可能にして結合された携帯デバイスの可撓性のある役割として、保管し、販売できるようにする。
【０１０５】
従って、本実施例は、打ち抜き穴が使用者の利便さのために、単一携帯デバイス181Aの容易な分離と橋部材182Aの廃棄を可能にする。この態様において、本発明は、大量の商業的使用、多重パックあるいは家庭、学校、食料品室、病院、産業界での個々の使用のためのキットの販売に適合される。該大量使用実施例は、一回使用実施例として想定されるが、再使用としても想定される。
【０１０６】
図62を参照して、本実施例の実施例32は、複数の犠牲的187Aを経て結合される携帯デバイス186Aの連続185Aを開示し、製造の流れに沿って個々の携帯デバイスの方向性に適合される。
【０１０７】
図63から68を参照して、いろいろな外形を有する複数の携帯デバイス190A,190B,190C,190D,190Eと190Fが製造の容易さと消費者の要求の両方のために構築される。
【０１０８】
説明されたいろいろな構成要素構築するために使われる材料には何らの制限はないが、ポリエチレン、マイラーと他の合理的に強い薄膜で成形可能なプラスティックと材料、織られたナイロン、コーティングされたナイロンと他の織物や非織物が適切である。上で説明されたように、ネオプレン、SBRと他の合成と天然のゴムとフォームの使用、あるいは天然あるいは合成皮革が目的に合致し、本発明の精神と範囲を逸脱することなく明らかにされた構造を完成するために使われる。さらに、特に実施例で説明されなかったが、開口部やハンドルは、携帯デバイスを安全にするために役立つための留め金、バックル、ベルクロいろいろな開口部、ハンドル、ベルクロ封、フック、その他のものが含まれる。さらに、肩ストラップ、バックパックストラップ、あるいは分離可能な携帯ハンドルの使用が該ハンドルシステムあるいは携帯デバイス上の形成された外側の固定された物に取り付けられることが想定される。従って、該携帯デバイスは、大人から子供までいろいろな使用者や洗練されたものから遊びのスタイルのニーズに合わせて容易に変更されることが想定される。
【０１０９】
さらに、本実施例は、好ましい手で運ぶ携帯デバイスとして表現されているが、何もそのような使用に制限されない。例えば、該携帯デバイスは、外側輸送容器内で繊細な物品を保護する輸送梱包として容易に適合される。別に、携帯デバイスは、印刷可能な外側表面を有するフィルムから構築される場合に、該デバイスは、膨らまし可能な郵便封筒として用いられ、個々に輸送される。
【０１１０】
本実施例と記載された実際に全ての実施例は、本発明の精神と範囲を逸脱することなく、特に消費者、産業あるいは商業的ニーズに容易に適合されることは製品デザインの当業者には明らかである。
【０１１１】
上記の実施例の別の例によって、袋層は、直線状の、低密度ポリエチレン、ネオプレン、低あるいは中密度フォーム、ビニール、コーティングあるいは密閉された紙、マイラー、ナイロン、ホイルあるいは他の有機あるいは人工的な材料で、上記の目的に適切なものであって、任意に構築されるものである。消費者あるいは製造にリサイクルあるいは再使用が重要な場合には、選ばれた材料はリサイクル可能で、多数回の再使用に耐えるものにできる。一回使用使い捨てが消費者あるいは製造に重要な場合には、選ばれた材料は一回の使用に適した非常に薄いプラスティックあるいはコート紙とすることができる。該材料を密閉、コーティング、結合させる技術は（例えば、抵抗による熱融解、RF使用、グルー、摩擦密閉、裁縫密閉、その他の手段）は、材料結合の当業者に知られている。
【０１１２】
同様に本発明は、重量あるいは重要性によって本質的な輸送ができるような形に容易で即時の適合が可能である。例えば、本発明は、製品をぶつけ合ったり、損傷することなくケーキあるいは他の貴重な焼き物製品を輸送することができる。臓器は、氷、氷水、温水、ミルク、ドライアイスなどの使用と取引上一般的な要求を可能にする特別にデザインされた適合性をもって輸送される。
【０１１３】
明らかなように、本開示は、ストラップあるいは、繊維製品、フォーム、ネオプレン或いは他の材料の柔らかい外部コーティングを有する子供のバックパックとして使用できるように本デザインの適合を想定する。同様に、考えられることは任意の外側ポケットあるいは袋を備えるいろいろなバッグと輸送容器である。
【０１１４】
さらに、別の実施例は、一つ以上の携帯デバイスと足踏みポンプ、圧縮気体供給（ヘリウム、窒素、炭酸ガスなど）を備えるキットの組み立て品とすることが想定される。さらなる適用では、デバイスは、内袋表面に沿った内部電気ヒーターと使用前に内袋を加温して輸送のために取り外しできる電流供給に嵌合できる電気コードを装置したものである。
【０１１５】
本発明は、硬い筐体部材で提供されて、外袋の外側は硬い部材の内部表面に接合され、開口部は、内袋アクセスのための一端に提供されてなることが同様に想定される。このように本発明は、内袋と膨らましタブを交差して密封する郵便包装としての使用に適合されることができる。本実施例は、同様に、紙あるいは不透明な外側膜に接合された可撓性郵便包装としての使用に適用される。これらの実施例において、使用者は、筐体の外側あるいは外袋の外側表面に直接書いて、粘着カバーを取り除き、封を物理的に密閉して、郵便包装にして携帯デバイスを郵送することができる。
【０１１６】
請求項、手段、方法と機能の文言は、列挙された機能を遂行するものとして記載され、提案された構造、構造的等価物だけでなく、等価的構造物を対象とすることを意図している。従って、例えば、釘、ネジ、ボルトは構造的等価物ではないけれども、木材部分と柱状表面との間の摩擦に依存する釘、木材部分と肯定的に係合するネジの螺旋表面、木材部分の対峙する側を圧迫するボルトとナットは構造的等価物ではないけれども、木材部分締め付け環境下、釘、ネジとボルトは、等価的構造物であることは当業者には容易に理解できることである。
【０１１７】
付随する図を参照する本発明の望ましい実施例の一つが記載されていて、発明は該当する正確な実施例に限定されるものではなく、いろいろな変化物、変更物と適合物が添付の請求項に規定される発明の精神と範囲を逸脱することなく当業者によって達成されることができる。
【図面の簡単な説明】
【０１１８】
【図１】通常の運搬バッグと運搬されるべき剛体製品の透視図
【図２】剛体製品がとりつけられて膨らまされた図1の透視図
【図３】縫い目によって作られた不規則な結果と潰す圧力を示す図2のI-Iの線に沿った部分断面図
【図４】別の通常の保持バッグとそれに入れられた剛体製品の透視図
【図５】剛体製品と一緒に組み立てられた図4における保持バッグの透視図
【図６】図5の部分切り取り図
【図７】本発明の一つの別の形態に従った非剛体物品と実施例１の本発明の携帯デバイス
【図８】非剛体物品と一緒になった図7の実施例
【図９】図7の実施例の分解立体図
【図１０】図9に示された領域IIIの内側袋の部分図
【図１１】図８のII-IIの線に沿って膨らまされた状態での膨らまし口の断面図
【図１２】図7に示された実施例の透視断面図
【図１３】本発明の一つの別の形態に従った本発明の実施例２の携帯デバイス
【図１４】図13のIV-IVの線に沿った部分断面図
【図１５】図13のV-Vの線に沿った部分断面図
【図１６】本発明の一つの別の形態に従った本発明の実施例3の携帯デバイス
【図１７】図16のVI-VIの線に沿った部分断面図
【図１８】本発明の一つの別の形態に従った本発明の実施例４の携帯デバイス
【図１９】図1８のVII-VIIの線に沿った部分断面図
【図２０】本発明の一つの別の形態に従った本発明の実施例5の携帯デバイス
【図２１】図20のVIII-VIIIの線に沿った部分断面図
【図２２】本発明の一つの別の形態に従った十分低い圧力下での本発明の実施例6の携帯デバイス
【図２３】図22のIX-IXの線に沿った部分断面図
【図２４】本発明の一つの別の形態に従った本発明の実施例7の携帯デバイス
【図２５】図24の実施例の分解立体図
【図２６】本発明の一つの別の形態に従った本発明の実施例８の携帯デバイスの切り取り図
【図２７】本発明の一つの別の形態に従った本発明の実施例9の携帯デバイス
【図２８】本発明の一つの別の形態に従った本発明の実施例10の携帯デバイス
【図２９】図２８の領域Xの拡大図
【図３０】図２８のXI−XIの線に沿った部分断面図
【図３１】本発明の一つの別の形態に従った別別の膨らまし室を有する本発明の実施例11の携帯デバイス
【図３２】図31の実施例の分解立体図
【図３３】本発明の一つの別の形態に従った本発明実施例12の携帯デバイスの部分切り取り透視図
【図３４】本発明の一つの別の形態に従った本発明実施例1３の携帯デバイスの部分切り取り透視図
【図３５】図34のXII-XIIの線に沿った部分断面図
【図３６】本発明の一つの別の形態に従った本発明実施例1４の携帯デバイスの切り取り透視図
【図３７】本発明実施例1５の携帯デバイスの切り取り透視図
【図３７Ａ】別の内側ポケット裏地を具備する図37の組み立て図
【図３８】本発明の一つの別の形態に従った本発明実施例1６の携帯デバイスの部分切り取り透視図
【図３９】本発明の一つの別の形態に従った本発明実施例1７の携帯デバイスの部分切り取り透視図
【図４０】本発明の一つの別の形態に従った本発明実施例1８の携帯デバイスの部分切り取り透視図
【図４１】本発明の一つの別の形態に従った本発明実施例1８の携帯デバイスの部分切り取り透視図
【図４２】本発明の一つの別の形態に従った本発明実施例19の携帯デバイスの部分切り取り透視図
【図４３】本発明の一つの別の形態に従った本発明実施例20の携帯デバイスの部分切り取り透視図
【図４４】本発明の一つの別の形態に従った本発明実施例21の携帯デバイスの部分切り取り透視図
【図４５】本発明の一つの別の形態に従った本発明実施例22の携帯デバイスの部分切り取り透視図
【図４６】本発明の一つの別の形態に従った本発明実施例23の携帯デバイスの部分切り取り透視図
【図４７】本発明の一つの別の形態に従った本発明実施例24の携帯デバイスの部分切り取り透視図
【図４８】本発明の一つの別の形態に従った本発明実施例25の携帯デバイスの部分切り取り透視図
【図４９】図48の実施例の分解立体図
【図５０】図48のXIII-XIIIの線に沿った部分断面図
【図５１】本発明の一つの別の形態に従った本発明実施例26の携帯デバイスの透視図
【図５２】携帯システムと一緒に使われる留め金システムの分解拡大図
【図５３】本発明の一つの別の形態に従った本発明実施例27の携帯デバイスの透視図
【図５４】図53の実施例の分解立体図
【図５５】本発明の一つの別の形態に従った本発明実施例28の携帯デバイスの透視図
【図５６】図55の実施例の分解コーナー図
【図５７】本発明の一つの別の形態に従った本発明実施例29の携帯デバイスの透視図
【図５８】図57の実施例の分解底面図
【図５９】本発明の一つの別の形態に従った本発明実施例30の携帯デバイスの透視図
【図６０】図59の一角の透視図
【図６１】本発明の31の別の形態に従った携帯デバイスの予め形作られたロールの上面図
【図６２】に従った携帯デバイスのための別の設計の上面図
【図６３】本発明の別の設計に従った別の携帯デバイスの上面図
【図６４】本発明の別の設計に従った別の携帯デバイスの上面図
【図６５】本発明の別の設計に従った別の携帯デバイスの上面図
【図６６】本発明の別の設計に従った別の携帯デバイスの上面図
【図６７】本発明の別の設計に従った別の携帯デバイスの上面図
【図６８】本発明の別の設計に従った別の携帯デバイスの上面図
【図１】
2008517849.tif 000003
【図２】
2008517849.tif 000004
【図３】
2008517849.tif 000005
【図４】
2008517849.tif 000006
【図５】
2008517849.tif 000007
【図６】
2008517849.tif 000008
【図７】
2008517849.tif 000009
【図８】
2008517849.tif 000010
【図９】
2008517849.tif 000011
【図１０】
2008517849.tif 000012
【図１１】
2008517849.tif 000013
【図１２】
2008517849.tif 000014
【図１３】
2008517849.tif 000015
【図１４】
2008517849.tif 000016
【図１５】
2008517849.tif 000017
【図１６】
2008517849.tif 000018
【図１７】
2008517849.tif 000019
【図１８】
2008517849.tif 000020
【図１９】
2008517849.tif 000021
【図２０】
2008517849.tif 000022
【図２１】
2008517849.tif 000023
【図２２】
2008517849.tif 000024
【図２３】
2008517849.tif 000025
【図２４】
2008517849.tif 000026
【図２５】
2008517849.tif 000027
【図２６】
2008517849.tif 000028
【図２７】
2008517849.tif 000029
【図２８】
2008517849.tif 000030
【図２９】
2008517849.tif 000031
【図３０】
2008517849.tif 000032
【図３１】
2008517849.tif 000033
【図３２】
2008517849.tif 000034
【図３３】
2008517849.tif 000035
【図３４】
2008517849.tif 000036
【図３５】
2008517849.tif 000037
【図３６】
2008517849.tif 000038
【図３７】
2008517849.tif 000039
【図３７Ａ】
2008517849.tif 000040
【図３８】
2008517849.tif 000041
【図３９】
2008517849.tif 000042
【図４０】
2008517849.tif 000043
【図４１】
2008517849.tif 000044
【図４２】
2008517849.tif 000045
【図４３】
2008517849.tif 000046
【図４４】
2008517849.tif 000047
【図４５】
2008517849.tif 000048
【図４６】
2008517849.tif 000049
【図４７】
2008517849.tif 000050
【図４８】
2008517849.tif 000051
【図４９】
2008517849.tif 000052
【図５０】
2008517849.tif 000053
【図５１】
2008517849.tif 000054
【図５２】
2008517849.tif 000055
【図５３】
2008517849.tif 000056
【図５４】
2008517849.tif 000057
【図５５】
2008517849.tif 000058
【図５６】
2008517849.tif 000059
【図５７】
2008517849.tif 000060
【図５８】
2008517849.tif 000061
【図５９】
2008517849.tif 000062
【図６０】
2008517849.tif 000063
【図６１】
2008517849.tif 000064
【図６２】
2008517849.tif 000065
【図６３】
2008517849.tif 000066
【図６４】
2008517849.tif 000067
【図６５】
2008517849.tif 000068
【図６６】
2008517849.tif 000069
【図６７】
2008517849.tif 000070
【図６８】
2008517849.tif 000071
【国際調査報告】
2008517849.tif 000072